(57)【要約】【課題】温風供給装置による洗濯物加温動作を実行するものにおいての、洗濯物の加温が効果的にできて、洗濯性能を充分に向上させ得るようにする。【解決手段】洗い動作後に温風供給装置による洗濯物加温動作を実行する（Ｓ１０〜Ｓ１６）前に、水槽の内部からの排水（Ｓ８）をして、且つ回転槽を外箱が共振する回転速度以下の速度で回転させることにより洗濯物から程良く脱水する脱水動作を実行する（Ｓ９）ようにした。これにより、洗濯物加温動作時の洗濯物の含水量をより少なくできて、洗濯物を効果的に加温することができ、もって、洗濯性能を充分に向上させることができる。【選択図】図１
2010119647.tif 000002
【特許請求の範囲】
【請求項１】
外箱と、
この外箱の内部に配設された水槽と、
この水槽の内部に配設された回転槽と、
この回転槽を回転駆動する駆動装置と、
前記水槽の内部に給水する給水装置と、
前記水槽の内部に温風を供給する温風供給装置とを具備し、
前記回転槽の内部に洗濯物を収容し、前記水槽の内部に給水して前記洗濯物を撹拌する洗い動作を実行して後、前記水槽の内部からの排水をして、前記回転槽を前記外箱が共振する回転速度以下の速度で回転させることにより前記洗濯物から脱水する脱水動作を実行し、その後に、前記洗濯物を撹拌しつつ、前記水槽の内部に温風を供給して前記洗濯物を加温する洗濯物加温動作を実行するようにしたことを特徴とする洗濯乾燥機。
【請求項２】
外箱と、
この外箱の内部に配設された水槽と、
この水槽の内部に配設された回転槽と、
この回転槽を回転駆動する駆動装置と、
前記水槽の内部に給水する給水装置と、
前記水槽の内部に温風を供給する温風供給装置とを具備し、
前記回転槽の内部に洗濯物を収容し、前記水槽の内部に給水して前記洗濯物を撹拌する洗い動作を実行して後、前記水槽の内部からの排水をして、前記回転槽を回転させることにより前記洗濯物から脱水する脱水動作を実行すると共に、前記水槽の内部に温風を供給して前記洗濯物を加温する洗濯物加温動作を実行し、その後に、前記水槽の内部に給水して前記洗濯物を撹拌するすすぎ動作を実行するようにしたことを特徴とする洗濯乾燥機。
【発明の詳細な説明】
【技術分野】
【０００１】
本発明は、洗濯物加温動作を実行する洗濯乾燥機に関する。
【背景技術】
【０００２】
従来より、洗濯機においては、水槽の底部にヒータを具え、このヒータで洗濯水を所定温度まで加熱して洗濯をするようにしたものが供されている。このものによると、洗濯水が加熱されることで洗剤が溶けやすくなり、且つ洗剤が活性化されて、洗濯性能が向上する効果がある。
しかしながら、ヒータで洗濯水を所定温度まで加熱するのに長時間を要し、洗濯終了までの時間が長くかかるという問題点があり、そのほか、電力の消費も大きく、不経済であり、更には、洗濯水中に没して洗濯水を加熱するヒータの漏電に対する安全処置を厳重に施さなければならないというような問題点もある。
【０００３】
これに対し、水槽の内部に温風を供給する温風供給装置を具えて、洗濯物を乾燥させることのできる洗濯乾燥機において、水槽の内部に配設した回転槽に洗濯物を収容し、水槽の内部に給水して前記洗濯物を撹拌する洗い動作を実行して後、水槽の内部からの排水をして、その後に、前記洗濯物を撹拌しつつ、前記温風供給装置により水槽の内部に温風を供給して前記洗濯物を加温する洗濯物加温動作を実行するようにする考えがある（例えば特許文献１参照）。
【特許文献１】特開２００６−２４７０６２号公報
【発明の開示】
【発明が解決しようとする課題】
【０００４】
上述のように考えられたものによると、水槽の底部に具えられたヒータで洗濯水を所定温度まで加熱して洗濯をするものの問題点をすべて解決できる。すなわち、ヒータで洗濯水を所定温度まで加熱するような長時間を要することがなく、又、電力の消費も少なく済んで、更には、ヒータの漏電に対する安全処置を厳重に施さなければならないというような問題点がない。
しかしながら、洗濯物の加温効果が充分でなく、洗濯性能を充分に向上させることができない。
【０００５】
又、そのものにおいては、前記洗い動作及び排水を実行して後、回転槽を回転させつつ、水槽の内部に温風を供給して洗濯物を加温する洗濯物加温動作を実行し、その後に、水槽の内部に給水して洗濯物を撹拌するすすぎ動作を実行するようにもしている。
しかしながら、そのものにおけるすすぎ動作前の洗濯物加温動作を実行するときの回転槽の回転は、回転槽のアンバランス検知が行われる段階の、例えば１００〔ｒｐｍ〕までの低速回転段階であり、洗濯物からの脱水が実質的に行われる段階にないので、洗濯物の含水量が多く、洗濯物を効果的に加温することができない。
【０００６】
本発明は上述の事情に鑑みてなされたものであり、従ってその目的は、温風供給装置による洗濯物加温動作を実行するものにおいての、洗濯物の加温が効果的にできて、洗濯性能を充分に向上させることのできる洗濯乾燥機を提供するにある。
【課題を解決するための手段】
【０００７】
上記目的を達成するために、本発明の洗濯乾燥機においては、第１に、外箱と、この外箱の内部に配設された水槽と、この水槽の内部に配設された回転槽と、この回転槽を回転駆動する駆動装置と、前記水槽の内部に給水する給水装置と、前記水槽の内部に温風を供給する温風供給装置とを具備し、前記回転槽の内部に洗濯物を収容し、前記水槽の内部に給水して前記洗濯物を撹拌する洗い動作を実行して後、前記水槽の内部からの排水をして、前記回転槽を前記外箱が共振する回転速度以下の速度で回転させることにより前記洗濯物から脱水する脱水動作を実行し、その後に、前記洗濯物を撹拌しつつ、前記水槽の内部に温風を供給して前記洗濯物を加温する洗濯物加温動作を実行するようにしたことを特徴とする（請求項１の発明）。
【０００８】
本発明の洗濯乾燥機においては、第２に、外箱と、この外箱の内部に配設された水槽と、この水槽の内部に配設された回転槽と、この回転槽を回転駆動する駆動装置と、前記水槽の内部に給水する給水装置と、前記水槽の内部に温風を供給する温風供給装置とを具備し、前記回転槽の内部に洗濯物を収容し、前記水槽の内部に給水して前記洗濯物を撹拌する洗い動作を実行して後、前記水槽の内部からの排水をして、前記回転槽を回転させることにより前記洗濯物から脱水する脱水動作を実行すると共に、前記水槽の内部に温風を供給して前記洗濯物を加温する洗濯物加温動作を実行し、その後に、前記水槽の内部に給水して前記洗濯物を撹拌するすすぎ動作を実行するようにしたことを特徴とする（請求項２の発明）。
【発明の効果】
【０００９】
上記第１の手段（請求項１の発明）によれば、洗い動作後に温風供給装置による洗濯物加温動作を実行する前に、水槽の内部からの排水をして、且つ回転槽を外箱が共振する回転速度以下の速度で回転させることにより洗濯物から程よく脱水する脱水動作を実行するようにしているので、洗濯物加温動作時の洗濯物の含水量をより少なくできて、洗濯物を効果的に加温することができ、もって、洗濯性能を充分に向上させることができる。
【００１０】
第２の手段（請求項２の発明）によれば、すすぎ動作前の温風供給装置による洗濯物加温動作を実行するときに、回転槽を回転させることにより前記洗濯物から脱水する脱水動作を実行するようにしている、換言すれば、洗濯物から脱水する脱水動作を実行する速度でドラムを回転させるようにしているので、この場合も、洗濯物加温動作時の洗濯物の含水量をより少なくできて、洗濯物を効果的に加温することができ、もって、洗濯性能を充分に向上させることができる。
【発明を実施するための最良の形態】
【００１１】
以下、本発明の第１実施例（第１の実施形態）につき、図１ないし図３を参照して説明する。
まず、図２には、ドラム式洗濯機の全体構造を示しており、外箱１を外殻としている。この外箱１の前面部（図２で左側）のほゞ中央部には、洗濯物出入口２を形成し、該出入口２を開閉する扉３を設けている。又、外箱１の前面部の上部には、操作パネル４を設けており、その裏側（外箱１内）に電子回路ユニット５を設けている。
【００１２】
外箱１の内部には、水槽６を配設している。この水槽６は軸方向が前後（図２で左右）の横軸円筒状を成すものであり、それを外箱１の底面上に左右一対（一方のみ図示）のサスペンション７によって前上がりの傾斜状にて弾性支持している。
水槽６の背部には、モータ８を取付けている。このモータ８は、この場合、例えば直流のブラシレスモータから成るもので、アウターロータ形であり、ロータ８ａの中心部に取付けた回転軸８ｂを、軸受ブラケット９を介して水槽６の内部に挿通している。
【００１３】
水槽６の内部には、ドラム１０を配設している。このドラム１０も軸方向が前後の横軸円筒状を成すもので、それを後部の中心部で上記モータ８の回転軸８ｂの先端部に取付けることにより、水槽６と同軸の前上がりの傾斜状に支持している。又、その結果、ドラム１０はモータ８により回転されるようになっており、従って、ドラム１０は回転槽であり、モータ８はドラム１０を回転させるドラム駆動装置として機能するようになっている。
【００１４】
ドラム１０の周側部（胴部）には、小孔１１を全域にわたって多数（一部のみ図示）形成すると共に、洗濯物掻き上げ用のバッフル１２を複数設けている（１つのみ図示）。又、ドラム１０及び水槽６は、ともに前面部に開口部１３，１４を有しており、そのうちの水槽６の開口部１４に、環状のベローズ１５を介して前記洗濯物出入口２を連ねている。この結果、洗濯物出入口２は、ベローズ１５、水槽６の開口部１４、及びドラム１０の開口部１３を介して、ドラム１０の内部に連なっている。
【００１５】
水槽６の最低部である底部の後部には、排水口１６を形成しており、この排水口１６には、途中部に排水弁１７を有する排水管１８を接続している。又、その排水管１８の排水弁１７より排水口１６側の部分には、循環水路１９の基端部を接続し、循環水路１９の途中部には、排水管１８側より順にフィルタ２０と循環ポンプ２１とを配設している。そして更に、循環水路１９の先端部は、前記ベローズ１５の側方を迂回して、前記水槽６の開口部１４の上部に装着した散水ノズル２２に接続している。かくして、水槽６内の水を、循環ポンプ２１の運転によって、水槽６の排水口１６から循環水路１９（フィルタ２０）を通じて散水ノズル２２から水槽６内に散水して戻す循環を行うようにしている。
【００１６】
水槽６の背部には又、除湿器２３を配設している。この除湿器２３は、全体に中空状を成しており、前記モータ８の右側に位置していて、下部に有する連通口２３ａを水槽６の内下部に連通させている。又、この除湿器２３の内上部には、注水器２４を配設している。
水槽６の上方には、後側に送風装置２５を配設しており、前側に加熱装置２６を配設している。このうち、送風装置２５は、内部に送風羽根２７を有しており、この送風羽根２７を回転駆動するモータ（図２には図示せず）を外部に設けて成るもので、後部を上記除湿器２３の上部に接続している。
【００１７】
一方、加熱装置２６は、内部に温風生成用電熱ヒータ２８を有して成るもので、後部に上記送風装置２５の前部を接続している。
更に、水槽６の前方には給風ダクト２９を配設している。この給風ダクト２９は、後端部を上記加熱装置２６の前部に接続しており、前端部を前記水槽６の上部から水槽６の内部に臨ませている。
【００１８】
このほか、外箱１内の最上部には、給水弁３０と、風呂水供給ポンプ３１、及び給水ケース３２を配設している。このうち、給水弁３０は、入口部３０ａに図示しない給水ホースを介して水道の蛇口（これも図示せず）を接続するようになっており、他方、二つある出口部の一つを接続ホース３３を介して上記給水ケース３２に接続し、他の一つを接続チューブ３４を介して前記除湿器２３の注水器２４に接続している。
従って、給水弁３０は、給水ケース３２を介して水槽６内に通じるものであり、これらの給水弁３０と給水ケース３２により水槽６内に給水する給水装置３５を構成している。
【００１９】
又、給水弁３０は、上記注水器２４に給水するものでもあり、その注水器２４に給水しつつ、前記送風装置２５と加熱装置２６とを作動させれば、水槽６内の空気が除湿器２３の内部を下部から上部へと通される。又、このとき、除湿器２３内には、上記注水器２４から出た水が降下し、この降下する水に、除湿器２３内を通る上記水槽６内の空気中の水蒸気が触れて冷却され、凝縮されることにより除湿される。
【００２０】
そして、その除湿された空気は、その後、送風装置２５から加熱装置２６に送り込まれて加熱されることにより温風化され、その温風が給風ダクト２９を通って水槽６内に還流されるものであり、かくして、水槽６内に順次温風を供給する温風供給装置３６を構成している。
【００２１】
なお、水槽６内に供給された温風は、その後、ドラム１０の小孔１１からドラム１０内に供給される。このドラム１０内に供給された空気は、ドラム１０内を通る過程で該ドラム１０内の洗濯物から湿気を奪い、その後、ドラム１０の他の小孔１１から出て、水槽６から再び除湿器２３内を下部から上部へと通されるということが繰返されて循環される。
給水ケース３２は、内部に洗剤貯留部（図示せず）を有しており、その内部を接続ホース３７を介して水槽６の上部から水槽６内に連通させている。
【００２２】
図３には、制御装置３８を示している。この制御装置３８は、例えばマイクロコンピュータから成るもので、前記電子回路ユニット５に含まれ、ドラム式洗濯乾燥機の運転全般を制御する制御手段として機能するようになっている。この制御装置３８には、前記操作パネル４が有する各種の操作スイッチから成る操作入力部３９より各種操作信号が入力されるようになっている。なお、操作入力部３９も前記電子回路ユニット５に含まれており、操作パネル４が有する各種のスイッチに対する使用者の操作に応じた各種操作信号を出力するようになっている。
【００２３】
このほか、制御装置３８には、前記水槽６内の水位を検知するように設けた水位センサ４０から水位検知信号が入力されると共に、前記モータ８の回転を検知するように設けた回転センサ４１から回転検知信号が入力されるようになっている。なお、制御装置３８は、回転センサ４１からの回転検知信号に基づき、モータ８の回転数ひいてはドラム１０の回転数を検知所要時間で除する演算をするようになっており、それによってドラム１０の回転速度を検知する回転速度検知手段としても機能するようになっている。
【００２４】
そして、制御装置３８は、それらの入力並びにあらかじめ記憶された制御プログラムに基づいて、前記操作パネル４に存する各種表示器から成る表示部４２に表示制御信号を与えると共に、前記給水弁３０と、モータ８、送風装置２５のモータ４３、加熱装置２６の温風生成用電熱ヒータ２８、循環ポンプ２１、及び排水弁１７を駆動する駆動回路４４に駆動制御信号を与えるようになっている。
【００２５】
次に、上記構成のものの作用を述べる。
図１は制御装置３８の運転制御内容をすすぎ行程の前までに限って示しており、これは、操作パネル４に対する使用者の操作に基づくもので、使用者が運転を開始させる操作をすると、制御装置３８が運転を開始（スタート）させて、最初に洗濯物量の検知をする（ステップＳ１）。この洗濯物量の検知は、ドラム１０を所定の回転速度まで回転させ、それに要した時間と、その後、モータ８によるドラム１０の駆動を停止させてドラム１０を惰性回転させ、それによってドラム１０の回転速度が所定の回転速度まで下降するのに要した時間とから、洗濯物の量をモータ８の回転負荷でもって検知するものである。従って、このとき、回転センサ４１と制御装置３８が洗濯物量検知手段として機能する。
【００２６】
この後、給水弁３０の給水ケース３２側を開放させることにより、水槽６内への給水（本給水）を開始する（ステップＳ２）。このとき、給水ケース３２の洗剤貯留部にあらかじめ貯留した洗剤の投入が給水と併せて行われる。
この状態で、次には、水位センサ４０の検知結果から、水槽６内の水位が所定水位に達したか否かの判断をする（ステップＳ３）。ここでの所定水位は、上記洗濯物量の検知結果に基づいて設定した水位である。このステップＳ３で、達していない（ＮＯ）と判断されれば、ステップＳ３を繰り返し、達した（ＹＥＳ）と判断されれば、給水弁３０を閉塞させることにより、水槽６内への給水（本給水）を停止する（ステップＳ４）。
【００２７】
次いで、洗い行程に入り、洗い動作を開始する（ステップＳ５）。この洗い動作は、ドラム１０を正反転させることにより行うもので、それにより、ドラム１０内にあらかじめ収容された洗濯物が上げられてから落とされること（タンブリング）を繰り返し、洗浄される。又、このときには、循環ポンプ２１を運転させて、水槽６内の水を循環水路１９を通じて散水ノズル２２から水槽６内に散水して戻す循環をも行う。
【００２８】
この状態で、次には、所定時間に達したか否かの判断をする（ステップＳ６）。ここでの所定時間も、前記洗濯物量の検知結果に基づいて設定した時間である。このステップＳ６で、達していない（ＮＯ）と判断されれば、ステップＳ６を繰り返し、達した（ＹＥＳ）と判断されれば、洗い動作を停止する（ステップＳ７）。
この後、排水を行う（ステップＳ８）。この排水は、排水弁１７を開放させることにより、水槽６内（ドラム１０内）の水を、水槽６の排水口１６から排水管１８（排水弁１７）通じて排出する内容で行われる。
【００２９】
そして、その後に、脱水（中間脱水）動作を実行する（ステップＳ９）。脱水動作は、上記排水弁１７を開放させたまま、ドラム１０を一方向に回転をさせることでドラム１０内の洗濯物の遠心脱水をするものであり、この場合のドラム１０の回転速度は、外箱１が共振する回転速度以下の速度であって、例えば４００〔ｒｐｍ〕程度であり、ドラム１０を１０００〔ｒｐｍ〕近く又はそれ以上の速度で回転させる本格的な脱水動作よりも、脱水率が４０〜５０〔％〕程度の中間的な脱水動作を行うものである。
【００３０】
この後、温風供給装置３６の送風装置２５を作動させ（ステップＳ１０）、続いて加熱装置２６を作動させ（ステップＳ１１）、更に、給水弁３０の除湿器２３（注水器２４）側を開放させる（ステップＳ１２）。これらにより、水槽６内の空気が除湿器２３で除湿されて加熱装置２６で温風化され、その温風が水槽６内に還流されて供給される。又、このときには、ドラム１０を例えば前述のタンブリングをする速度で回転させ（ステップＳ１３）、それによって、洗濯物の撹拌をする。これらにより、ドラム１０内の洗濯物が加温される。従って、ここでの動作は洗濯物加温動作である。
【００３１】
この後、所定時間に達したか否かの判断をする（ステップＳ１４）。ここでの所定時間も、前記洗濯物量の検知結果に基づいて設定した時間であり、この場合、例えば１５分である。このステップＳ１４で、達していない（ＮＯ）と判断されれば、ステップＳ１４を繰り返し、達した（ＹＥＳ）と判断されれば、送風装置２５と加熱装置２６の作動を停止させると共に、給水弁３０を閉塞させ（ステップＳ１５）、更に、ドラム１０の回転を停止させて（ステップＳ１６）、洗濯物加温動作を停止する。
そして、その後に洗濯物をすすぐすすぎ行程へと進む。
【００３２】
このように上記構成のものでは、洗い動作後に温風供給装置３６による洗濯物加温動作を実行するもので、それにより、洗濯物に残留する洗剤が活性化されて洗剤の効果が高まり、又、洗剤を含む水による洗い動作では落ちなかった汚れを洗濯物から浮き立たせることにより、次のすすぎ行程で洗剤を除去すると共に汚れの落としも良好にできるもので、これらにより、洗濯効果が高まる。しかも、ヒータで洗濯水を所定温度まで加熱するような長時間を要することがなく、又、電力の消費も少なく済んで、更には、ヒータの漏電に対する安全処置を厳重に施さなければならないというような問題点がない。
【００３３】
そして、特には、上記温風供給装置３６による洗濯物加温動作を実行する前に、水槽６の内部からの排水をして、且つドラム１０を外箱１が共振する回転速度以下の速度で回転させることにより洗濯物から脱水する中間的な脱水動作を実行するようにしているので、洗濯物加温動作時の洗濯物の含水量をより少なくできて、洗濯物を効果的に加温することができ、もって、上記洗濯性能を充分に向上させることができる。
なお、この場合の中間的な脱水は、洗濯物から洗剤を含む水を脱水し過ぎず、洗剤分を洗濯物に程よく残して、それを洗濯物の加温により活性化するのに効果を発揮するものでもある。
【００３４】
以上に対して、図４ないし図６は本発明の第２及び第３実施例（第２及び第３の実施形態）を示すもので、それぞれ、第１実施例と同一もしくは同様の部分には同一の符号を付して説明を省略し、異なる部分についてのみ述べる。
【００３５】
［第２実施例］
図４に示す第２実施例においては、制御装置３８の運転制御内容中、洗い動作を停止し（ステップＳ１０１）、排水を行った（ステップＳ１０２）後に、温風供給装置３６の送風装置２５を作動させ（ステップＳ１０３）、続いて加熱装置２６を作動させ（ステップＳ１０４）、更に、給水弁３０の除湿器２３（注水器２４）側を開放させる（ステップＳ１０５）。これらにより、前述のように、水槽６内の空気が除湿器２３で除湿されて加熱装置２６で温風化され、その温風が水槽６内に還流されて供給される。
【００３６】
又、このときには、ドラム１０を例えば１０００〔ｒｐｍ〕程度の速度で回転させる本格的な脱水動作を行う（ステップＳ１０）。これらにより、ドラム１０内の洗濯物が加温される。従って、ここでの動作も洗濯物加温動作である。
この後、第１実施例のステップＳ１４〜Ｓ１６と同様のステップＳ１０７〜Ｓ１０９を経て洗濯物加温動作を停止する。
【００３７】
次いで、第１実施例のステップＳ２〜Ｓ４と同様のステップＳ１１０〜Ｓ１１２を経て水槽６内に給水を終え、その後、すすぎ行程に入り、すすぎ動作を開始する（ステップＳ１１３）。このすすぎ動作は、洗剤を使用しない以外、第１実施例の洗い動作と同様に行うもので、すなわち、ドラム１０を正反転させることにより、ドラム１０内の洗濯物を上げられてから落とすこと（タンブリング）を繰り返してすすぐ。又、このときにも、循環ポンプ２１を運転させて、水槽６内の水を循環水路１９を通じて散水ノズル２２から水槽６内に散水して戻す循環をも行う。
【００３８】
その後、第１実施例のステップＳ６〜Ｓ８と同様のステップＳ１１４〜Ｓ１１６を経てすすぎ動作、排水を終え、この後、２回目の本格的な脱水動作を開始する（ステップＳ１１７）。そして、次には、所定時間に達したか否かの判断をする（ステップＳ１１８）。ここでの所定時間も、前記洗濯物量の検知結果に基づいて設定した時間である。このステップＳ１１８で、達していない（ＮＯ）と判断されれば、ステップＳ１１８を繰り返し、達した（ＹＥＳ）と判断されれば、２回目の脱水動作洗い動作を停止する（ステップＳ１１９）。
この後、上記ステップＳ１１０〜Ｓ１１６と同様のステップＳ１２０〜Ｓ１２６を経て２回目のすすぎ動作から排水を終え、最終脱水行程へと進み、更に乾燥行程へ進む。
【００３９】
このように、第２実施例では、すすぎ動作（１回目のすすぎ動作）前の温風供給装置３６による洗濯物加温動作を実行するときに、ドラム１０を回転させることにより洗濯物から脱水する脱水動作を実行するようにしている、換言すれば、洗濯物から脱水する脱水動作を実行する速度でドラム１０を回転させるようにしているので、この場合も、洗濯物加温動作時の洗濯物の含水量をより少なくできて、洗濯物を効果的に加温することができ、もって、洗濯性能を充分に向上させることができる。
【００４０】
なお、この場合の洗濯物の加温は、洗濯物の繊維を膨らませ、それによって洗剤を含んだ水の、脱水動作による排出がされやすくなり、もって、その後のすすぎ動作における洗剤分の希釈をよくするのに効果を発揮するものである。
この第２実施例は、第１実施例に加えて実施するようにしても良い。
【００４１】
［第３実施例］
図５及び図６に示す第３実施例においては、温風供給装置５１を、第１実施例の電熱ヒータ２８を加熱源とした温風供給装置３６に代え、ヒートポンプ式としている。このヒートポンプ式の温風供給装置５１は、詳細には、水槽６の前上部に形成した吐風口５２と、水槽６の後上部に形成した給風口５３との間を接続して設けた、吐風ダクト５４、接続ホース５５、通風ケース５６、ファンケーシング５７、接続ホース５８、及び給風ダクト５９から成る循環風路６０の内部、特には通風ケース５６の内部に、吐風口５２側より順に、蒸発器６１と凝縮器６２を配設し、且つ、ファンケーシング５７の内部に送風羽根６３を配設して構成している。
【００４２】
蒸発器６１と凝縮器６２は、通風ケース５６の外部に配設した圧縮機６４と、図６に示す電子式絞り弁やキャピラリチューブ等から成る絞り器６５とで、接続パイプ６６によりサイクル（冷凍サイクル）接続してヒートポンプ６７を構成し、蒸発器６１で吸熱冷却、凝縮器６２で放熱加熱をするようになっている。又、送風羽根６３は、ファンケーシング５７の外部に配設したモータ６８で回転駆動するようになっており、駆動された送風羽根６３は、水槽６内の空気を、吐風口５２から循環風路６０を通して給風口５３から水槽６内に戻す循環を行わしめる。
【００４３】
又、このときに、圧縮機６４を駆動することにより、冷凍サイクルに封入した冷媒が圧縮機６４で圧縮されて高温高圧の冷媒となり、その高温高圧の冷媒が凝縮器６２に流れて、通風ケース５６内の空気と熱交換する。その結果、通風ケース５６内の空気が加熱され、反対に、冷媒の温度は低下して液化される。この液化された冷媒が、次に、絞り器６５を通って減圧された後、蒸発器６１に流入し、気化する。それにより、蒸発器６１は通風ケース５６内の空気を冷却する。蒸発器６１を通過した冷媒は圧縮機６４に戻る。
【００４４】
これらにより、前記水槽６内から循環風路６０に流入した空気は、通風ケース５６内で、蒸発器６１により冷却されて除湿され、その後に凝縮器６２により加熱されて温風化される。そして、凝縮器６２を経た温風が水槽６内に戻し供給され、更にドラム１０の後部に形成した通風口６９からドラム１０内に供給される。かくして、ドラム１０内の洗濯物が加温される。従って、洗濯物の加温動作はこのようにして行い、乾燥も又そのようにして行う。
なお、ドラム１０内の洗濯物を加温した温風は、その後、ドラム１０より出て水槽６内から上記循環風路６０へと流入する。
【００４５】
洗濯乾燥機の構成は、このように温風供給装置５１をヒートポンプ式としたものでも、第１実施例及び第２実施例と同様の作用効果を得ることができる。
加えて、洗濯乾燥機の全体構成は、ドラム式（横軸形）に限られず、水槽や回転槽を縦軸状に有する縦軸形の洗濯乾燥機であっても良い。又、上記第３実施例を示した図５からも明らかなように、水槽内の水を循環させる機能や風呂水供給ポンプ３１は具わっていなくても良い。
そのほか、本発明は上記し且つ図面に示した実施例にのみ限定されるものではなく、要旨を逸脱しない範囲内で適宜変更して実施し得る。
【図面の簡単な説明】
【００４６】
【図１】本発明の第１実施例を示す制御内容のフローチャート
【図２】洗濯乾燥機全体の破断側面図
【図３】電気的構成のブロック図
【図４】本発明の第２実施例を示す制御内容のフローチャート
【図５】本発明の第３実施例を示す図２相当図
【図６】ヒートポンプのサイクル構成図
【符号の説明】
【００４７】
図面中、１は外箱、６は水槽、８はモータ（駆動装置）、１０はドラム（回転槽）、３４は給水装置、３６は温風供給装置、３８は制御装置（制御手段）、５１は温風供給装置を示す。
【図１】
2010119647.tif 000003
【図２】
2010119647.tif 000004
【図３】
2010119647.tif 000005
【図４】
2010119647.tif 000006
【図５】
2010119647.tif 000007
【図６】
2010119647.tif 000008